(57)【要約】【解決手段】  帯域外信号および隣接チャネル信号を減ずるための、受信器中のトラッキングフィルタが記述される。１つの典型的なデザインでは、装置は、トラッキングフィルタ、ＬＮＡ、およびダウンコンバータを含む。トラッキングフィルタは、加算器、フィルタ、およびアップコンバータを含む。加算器は、フィードバック信号を入力信号から減じ、第１信号を提供する。ＬＮＡは、第１信号を増幅し、第２信号を提供する。ダウンコンバータは、第２信号を周波数ダウンコンバートし、出力信号を提供する。フィルタは、出力信号を濾波し（例えば、微分し）、第３信号を提供する。フィルタは、希望信号を遮断し、帯域外信号成分を通す。アップコンバータは、第３信号を周波数アップコンバートし、フィードバック信号の導出の元となる第４信号を提供する。トラッキングフィルタは、希望信号の周波数に基づいて定まる等価的帯域通過フィルタ応答および可変の中心周波数を有する。【選択図】      図５
2011508486.tif 000002
【特許請求の範囲】
【請求項１】
入力信号およびフィードバック信号を受け取り、第１信号を提供する加算器と、
前記第１信号に基づいて導出された第２信号を周波数ダウンコンバートし、出力信号を提供するダウンコンバータと、
前記出力信号を濾波し、第３信号を提供するフィルタと、
前記第３信号を周波数アップコンバートし、前記フィードバック信号の導出の元となる第４信号を提供するアップコンバータと、
を具備する通信装置。
【請求項２】
前記第１信号を増幅し、前記第２信号を提供する低ノイズ増幅器（ＬＮＡ）、
をさらに具備する、請求項１の装置。
【請求項３】
受信された信号を増幅し、前記入力信号を提供する第１増幅器と、
前記第１信号を増幅し、前記第２信号を提供する第２増幅器と、
をさらに具備する、請求項１の装置。
【請求項４】
前記加算器が、前記フィードバック信号についての第１電流を前記入力信号についての第２電流から減ずるための加算ノードを具備する、請求項３の装置。
【請求項５】
受信された信号を濾波し、前記入力信号を提供する帯域通過フィルタ、
をさらに具備する、請求項１の装置。
【請求項６】
前記入力信号が特定の周波数の希望信号を具備し、
前記ダウンコンバータが前記希望信号を特定の周波数からベースバンドまで周波数ダウンコンバートする、
請求項１の装置。
【請求項７】
前記ダウンコンバータが前記第２信号を第１局部発振器（ＬＯ）信号に基づいて周波数ダウンコンバートし、
前記アップコンバータが前記第３信号を前記第１ＬＯ信号と同じ周波数を有する第２ＬＯ信号に基づいて周波数アップコンバートする、
請求項１の装置。
【請求項８】
前記フィルタが、受け取られている希望信号を遮断し、帯域外信号成分を通す、請求項１の装置。
【請求項９】
前記フィルタが微分器を具備する、請求項１の装置。
【請求項１０】
前記フィルタが次数の相違する複数の微分器を具備する、請求項１の装置。
【請求項１１】
前記フィルタが高域通過フィルタを具備する、請求項１の装置。
【請求項１２】
前記第３信号を濾波しかつ濾波された第３信号を提供する低域通過フィルタをさらに具備し、
前記低域通過フィルタが前記ダウンコンバータおよび前記アップコンバータ用の局部発振器（ＬＯ）信号による成分を除去し、
前記アップコンバータが前記濾波された第３信号を周波数アップコンバートする、
請求項１の装置。
【請求項１３】
前記加算器、フィルタ、およびアップコンバータが、グローバル移動体通信システム（ＧＳＭ）中の複数の周波数帯用の受信された信号を濾波するためのトラッキングフィルタを形成する、請求項１の装置。
【請求項１４】
前記加算器、フィルタ、およびアップコンバータが、ダイバーシチアンテナから受信された信号を濾波するためのトラッキングフィルタを形成する、請求項１の装置。
【請求項１５】
入力信号およびフィードバック信号を受け取り、第１信号を提供する加算器と、
前記第１信号に基づいて導出された第２信号を周波数ダウンコンバートし、出力信号を提供するダウンコンバータと、
前記出力信号を濾波し、第３信号を提供するフィルタと、
前記第３信号を周波数アップコンバートし、前記フィードバック信号の導出の元となる第４信号を提供するアップコンバータと、
を具備する集積回路。
【請求項１６】
前記第１信号を増幅し、前記第２信号を提供する低ノイズ増幅器（ＬＮＡ）、
をさらに具備する、請求項１５の集積回路。
【請求項１７】
受信された信号を増幅し、前記入力信号を提供する第１増幅器と、
前記第１信号を増幅し、前記第２信号を提供する第２増幅器と、
をさらに具備する、請求項１５の集積回路。
【請求項１８】
入力信号を濾波し、第１信号を提供するトラッキングフィルタと、
前記第１信号を増幅し、第２信号を提供する増幅器と、
前記第２信号を周波数ダウンコンバートし、出力信号を提供するダウンコンバータと、
を具備し、
前記トラッキングフィルタが前記出力信号に基づいて前記入力信号を濾波する、通信装置。
【請求項１９】
前記トラッキングフィルタが、受け取られている希望信号の周波数に基づいて定まる可変の中心周波数を有する、請求項１８の装置。
【請求項２０】
入力信号の処理方法であって、
フィードバック信号を前記入力信号から減じて第１信号を得ることと、
前記第１信号に基づいて導出された第２信号をダウンコンバートして出力信号を得ることと、
前記出力信号を濾波して第３信号を得ることと、
前記第３信号をアップコンバートして第４信号を得ることと、
前記第４信号に基づいて前記フィードバック信号を導出することと、
を具備する入力信号の処理方法。
【請求項２１】
前記出力信号を濾波することが、前記出力信号を微分して前記第３信号を得ることを具備する、請求項２０の方法。
【請求項２２】
前記第１信号を増幅して前記第２信号を得ることをさらに具備する、請求項２０の方法。
【請求項２３】
フィードバック信号を入力信号から減じて第１信号を得るための手段と、
前記第１信号に基づいて導出された第２信号をダウンコンバートして出力信号を得るための手段と、
前記出力信号を濾波して第３信号を得るための手段と、
前記第３信号をアップコンバートして第４信号を得るための手段と、
前記第４信号に基づいて前記フィードバック信号を導出するための手段と、
を具備する通信装置。
【請求項２４】
前記出力信号を濾波するための手段が、前記出力信号を微分して前記第３信号を得るための手段を具備する、請求項２３の装置。
【請求項２５】
前記第１信号を増幅して前記第２信号を得るための手段をさらに具備する、請求項２３の装置。
【発明の詳細な説明】
【技術分野】
【０００１】
本開示は、概して電子回路に関し、より具体的には受信器用フィルタに関する。
【背景技術】
【０００２】
無線通信装置（例えば携帯電話）は、トランシーバを利用して無線通信システムとの相互通信を達成し得る。トランシーバはデータ送信のための送信器およびデータ受信のための受信器を含み得る。データ送信については、送信器は、無線周波数（ＲＦ）搬送波信号をデータで変調して変調された信号を取得し得る。送信器は、変調された信号をさらに増幅して出力ＲＦ信号を得、次に、この信号を無線システム中の基地局へ無線チャネルを介して送り得る。データ受信については、受信器は基地局からＲＦ信号を受信し得、受信されたＲＦ信号を調整および処理して基地局によって送られたデータを取得し得る。
【０００３】
無線装置は相違する無線系と通信することができ得、また／または複数の周波数帯上での動作をサポートし得る。これらの能力は、無線装置がより多くのシステムから通信サービスを受け取るとともにより大きな履域を享受することを可能にし得る。無線装置は、受信器の中において、全てのサポートされている周波数帯およびシステム用の複数の受信経路を有し得る。受信経路は各々、帯域通過フィルタ、低ノイズ増幅器（ＬＮＡ）等の回路ブロックの組を含み得る。各受信経路用の回路ブロックは、具体的にはその受信器経路によってサポートされている周波数帯および／またはシステム用に設計され得る。無線装置は、複数の周波数帯および／または複数のシステムをサポートするために多くの受信経路および多くの回路ブロックを有し得る。これらの多くの受信経路が複雑性、サイズ、コスト、および／または無線装置の電源消費を増加させ得る。これらのいずれも望ましくないものであり得る。
【図面の簡単な説明】
【０００４】
【図１】複数のシステムと通信する無線装置を示す。
【図２】無線装置の典型的なデザインのブロック図を示す。
【図３】無線装置の別の典型的なデザインのブロック図を示す。
【図４】ＲＦバックエンドのブロック図を示す。
【図５】トラッキングフィルタを備えた受信経路のブロック図を示す。
【図６】トラッキングフィルタを備えた別の受信経路のブロック図を示す。
【図７】別のトラッキングフィルタを備えた受信経路のブロック図を示す。
【図８】さらに別のトラッキングフィルタを備えた受信経路のブロック図を示す。
【図９】微分器のブロック図を示す。
【図１０】トラッキングフィルタを備えた受信された信号の処理を示す。
【発明を実施するための形態】
【０００５】
「典型的である（典型的な）」という文言は、本明細書において、「例、事例、または実例として役立つ」ことを意味するために使用される。「典型的である（典型的な）」と本明細書において記述されているあらゆる実施形態は、必ずしも、好ましいものまたは他の実施形態よりも有利なものとして解釈されるべきではない。
【０００６】
本明細書において記述されるトラッキングフィルタは、様々な無線および有線通信装置用に使用され得、これらの様々な無線および有線通信装置は任意の数の通信システムおよび任意の数の周波数帯をサポートし得る。例えば、トラッキングフィルタは、符号分割多重接続（ＣＤＭＡ）システム、時分割多重接続（ＴＤＭＡ）システム、周波数分割多重接続（ＦＤＭＡ）システム、直交ＦＤＭＡ（ＯＦＤＭＡ）システム、シングルキャリアＦＤＭＡ（ＳＣ−ＦＤＭＡ）システム、無線ローカルエリアネットワーク（ＷＬＡＮ）、放送システム、衛星測位システム等用の無線通信装置用に使用され得る。ＣＤＭＡシステムは、ユニバーサル地上無線アクセス（ＵＴＲＡ）、ｃｄｍａ２０００等の無線技術を実現し得る。ＵＴＲＡは広帯域ＣＤＭＡ（Ｗ−ＣＤＭＡ）および他のＣＤＭＡバージョンを含む。ｃｄｍａ２０００は、ＩＳ−２０００、ＩＳ−９５、およびＩＳ−８５６規格をカバーする。ＴＤＭＡシステムはグローバル移動体通信システム（ＧＳＭ）等の無線技術を実現し得る。ＯＦＤＭＡシステムは、エボルブドＵＴＲＡ（Ｅ−ＵＴＲＡ）、ウルトラモバイルブロードバンド（ＵＭＢ）、ＩＥＥＥ（Ｗｉ−Ｆｉ）、ＩＥＥＥ（ＷｉＭＡＸ）、ＩＥＥＥ、フラッシュＯＦＤＭ  ８０２．２０  ８０２．１６  ８０２．１１等の無線技術を実現し得る。ＵＴＲＡおよびｅ−ＵＴＲＡは、ユニバーサルモバイルテレコミュニケーションシステム（ＵＭＴＳ）の一部である。ＵＴＲＡ、ｅ−ＵＴＲＡ、ＵＭＴＳ、およびＧＳＭは「第３世代パートナーシッププロジェクト」（３ＧＰＰ）という名の組織による文書において記述される。ｃｄｍａ２０００とＵＭＢは、「第３世代パートナーシッププロジェクト２」（３ＧＰＰ２）という名の組織による文書において記述される。これらの様々な無線技術および規格は当技術において知られている。
【０００７】
図１は、複数の無線通信システム１２０および１２２と通信することが可能な無線通信装置１１０を示している。無線システム１２０は、Ｗ−ＣＤＭＡまたはｃｄｍａ２０００を実現し得るＣＤＭＡシステムであり得る。無線システム１２２はＧＳＭシステムであり得る。簡略化のために、図１は、１つの基地局１３０と１つの移動通信交換局（ＭＳＣ）１４０を含んだ無線システム１２０、および１つの基地局１３２と１つの無線ネットワークコントローラ（ＲＮＣ）を含んだシステム１２２を示す。一般に、システムは各々、任意の数の基地局および任意の組のネットワークエンティティーを含み得る。システム１２０において、基地局１３０は、その履域における無線装置のための無線通信をサポートし、また、ＭＳＣ１４０は、ＭＳＣに接続されている基地局のための調整と制御を提供する。システム１２２において、基地局１３２は、その履域における無線装置のための無線通信をサポートし、また、ＲＮＣ１４２はこのＲＮＣに接続されている基地局のための調整と制御を提供する。基地局は、ノードＢ、エボルブドノードＢ（ｅＮＢ）、アクセスポイントなどとも称され得、ＭＳＣ１４０およびＲＮＣ１４２は他の何らかの用語によっても称され得る。
【０００８】
無線装置１１０は、携帯電話、携帯情報端末（ＰＤＡ）、無線対応コンピュータ、無線モデム、携帯型装置、ラップトップコンピュータ、コードレス電話機などであり得る。無線装置１１０は、ユーザ装置（ＵＥ）、移動局、端末、アクセス端末、加入者ユニット、局などとも称され得る。無線装置１１０は任意の数のアンテナととともに構成され得る。１つの典型的なデザインでは、無線装置１１０は１つの外部アンテナおよび１つの内部アンテナを含む。複数のアンテナが使用されて、有害な経路効果、例としてフェージング、マルチパス、干渉などに対するダイバーシチを提供してもよい。
【０００９】
無線装置１１０は放送局からも信号を受け取ることが可能であり得る。簡略化のために、１つの放送局１３４だけが図１において示される。無線装置１１０は、ＭｅｄｉａＦＬＯＴＭ、ハンドヘルド用ディジタルビデオ放送（ＤＶＢ−Ｈ）、地上テレビジョン放送（ＩＳＤＢＴ）用総合ディジタル放送、および／または他の地上放送システムをサポートし得る。
【００１０】
無線装置１１０は、衛星１５０からも信号を受け取ることが可能であり得る。衛星１５０は、アメリカの全地球測位システム（ＧＰＳ）、ヨーロッパのガリレオシステム、ロシアのＧＬＯＮＡＳＳシステムなどのような衛星測位システム（ＳＰＳ）に属し得る。各ＧＰＳ衛星は、地上のＧＰＳ受信器がＧＰＳ信号の到着時刻（ＴＯＡ）を測定することを可能にする情報とともに符号化されたＧＰＳ信号を送る。十分な数のＧＰＳ衛星についての測定値が使用されて、ＧＰＳ受信器についての正確な３次元位置推定値を取得し得る。
【００１１】
一般に、無線装置１１０は、任意の無線技術（例えばＷ−ＣＤＭＡ、ｃｄｍａ２０００、ＧＳＭ、ＧＰＳなど）によって任意の数の無線システムと通信することができ得る。簡潔化のために、以下の記述の多くは、無線装置１１０がＧＳＭおよびＣＤＭＡ（例えばＷ−ＣＤＭＡおよび／またはｃｄｍａ２０００）システムと通信することおよびＧＰＳ信号を受け取ることが可能であるものとする。無線装置１１０はまた、任意の数の周波数帯をサポートし得る。
【００１２】
図２は、無線装置１１０ａのブロック図を示している。これは、図１中の無線装置１１０の１つの典型的なデザインである。無線装置１１０ａは、アナログ部分２１０およびディジタル部２６０を含む。アナログ部２１０は、ＧＳＭおよびＣＤＭＡ用の複数の周波数帯およびＧＰＳ用の１つの周波数帯を協働でサポートするＲＦフロントエンド２２０およびＲＦバックエンド２５０を含む。ＧＳＭは時分割二重化（ＴＤＤ）を使用し、また、同じ周波数チャネルが使用されて相違する時間間隔中で送受信を行なう。ＣＤＭＡは周波数分割二重化（ＦＤＤ）を使用し、また、相違する周波数チャネルが使用されて同時に送受信を行なう。
【００１３】
ＲＦフロントエンド２２０において、アンテナ（Ａｎｔ）スイッチモジュール２２２は、ＲＦフロントエンド２２０がＧＳＭまたはＣＤＭＡのいずれかを処理することを可能にするようにスイッチングを行なう。ＲＦフロントエンド２２０がＧＳＭを処理している場合、モジュール２２２は、さらに送信と受信の間のスイッチングを行なう。モジュール２２２は、１次アンテナ２０２と接続されたアンテナポート、およびデュプレクサ２４０、電力増幅器（ＰＡ）２２８、ならびに表面弾性波（ＳＡＷ）フィルタ２３０ａ〜２３０ｄと接続された複数の入力ポートを有している。モジュール２２２は、所与の瞬間に複数の入力ポートのうちの１つにアンテナポートを接続する。
【００１４】
ＧＳＭについては、モジュール２２２は、送信期間の間、送信ＧＳＭ信号をＰＡ２２８からアンテナ２０２に接続し、受信期間の間、受信されたＲＦ信号をアンテナ２０２からＳＡＷフィルタ２３０ａ〜２３０ｄのうちの１つに接続する。各ＳＡＷフィルタ２３０は、それぞれの周波数帯についての入力ＲＦ信号を濾波する。ＳＡＷフィルタ２３０ａ〜２３０ｄは、濾波されたＲＦ信号をＬＮＡ２３２ａ〜２３２ｄにそれぞれ提供する。各ＬＮＡ２３２は、その濾波されたＲＦ信号を増幅し、増幅されたＲＦ信号をＲＦバックエンド２５０に提供する。送信経路については、ＲＦバックエンド２５０からの出力ＧＳＭ信号はフィルタ２２６によって濾波されるとともにＰＡ２２８によって増幅されて送信ＧＳＭ信号を得る。送信ＧＳＭ信号はモジュール２２２によってアンテナ２０２に接続される。
【００１５】
ＣＤＭＡについては、モジュール２２２は、アンテナ２０２をデュプレクサ２４０に接続する。デュプレクサ２４０は送信ＣＤＭＡ信号をＰＡ２４８からモジュール２２２へとルーティングし、さらに受信されたＲＦ信号をモジュール２２２からＬＮＡ２４２へとルーティングする。受信経路については、デュプレクサ２４０からの受信されたＲＦ信号は、ＬＮＡ２４２によって増幅されるとともにフィルタ２４４によって濾波されて入力ＣＤＭＡ信号を得る。入力ＣＤＭＡ信号はＲＦバックエンド２５０に提供される。送信経路については、ＲＦバックエンド２５０からの出力ＣＤＭＡ信号はフィルタ２４６によって濾波されるとともにＰＡ２４８によって増幅されて送信ＣＤＭＡ信号を得る。送信ＣＤＭＡ信号はデュプレクサ２４０によってルーティングされ、モジュール２２２によってアンテナ２０２に接続される。簡略化のために、図２は、ＣＤＭＡ用の１つの周波数帯用のデュプレクサ２４０、ＬＮＡ２４２、フィルタ２４４および２４６、ならびにＰＡ２４８の１つの組を示す。これらの回路ブロックの複数の組が使用されてＣＤＭＡ用の複数の周波数帯をサポートし得る。
【００１６】
アンテナスイッチモジュール２２４は、ダイバーシチ／２次アンテナ２０４に接続されたアンテナポートおよびＳＡＷフィルタ２３０ｅ〜２３０ｈに接続された入力ポートを有する。モジュール２２４は、所与の瞬間に、アンテナ２０４から受信されたＲＦ信号をＳＡＷフィルタ２３０ｅ〜２３０ｈのうちの１つに接続する。各ＳＡＷフィルタ２３０は、それぞれの周波数帯についての入力ＲＦ信号を濾波する。ＳＡＷフィルタ２３０ｅ〜２３０ｈは、濾波されたＲＦ信号をＬＮＡ２３２ｅ〜２３２ｈにそれぞれ提供する。各ＬＮＡ２３２は、その濾波されたＲＦ信号を増幅し、増幅されたＲＦ信号をＲＦバックエンド２５０に提供する。
【００１７】
一般に、受信器は、任意の数の周波数帯および任意の周波数帯用の任意の数のＳＡＷフィルタを含み得る。図２に示される典型的なデザインにおいて、ＳＡＷフィルタ２３０ａ〜２３０ｄは、ＧＳＭ８５０帯域、ＧＳＭ９００帯域、ＧＳＭ１８００帯域、およびＧＳＭ１９００帯域をそれぞれサポートする。ＧＳＭ８５０帯域およびＧＳＭ１９００帯域は、一般にアメリカで使用されており、また、ＧＳＭ９００帯域およびＧＳＭ１８００帯域は一般にヨーロッパで使用されている。ＳＡＷフィルタ２３０ｅ〜２３０ｆは、セルラ帯域、ＰＣＳ帯域、およびＩＭＴ−２０００帯域をそれぞれサポートする。これらは一般にＣＤＭＡ用に使用される。ＳＡＷフィルタ２３０ｇはＧＰＳ帯域をサポートする。ＳＡＷフィルタ２３０ａ〜２３０ｈは、他の周波数帯、例としてＧＳＭ４５０、２６００のような周波数帯もサポートし得る。
【００１８】
ＲＦバックエンド２５０は、様々な回路ブロック、例としてダウンコンバータ、可変利得増幅器（ＶＧＡ）、増幅器、バッファ、低域通過フィルタなどを含み得る。ＲＦバックエンド２５０は、ＬＮＡ２３２ａ〜２３２ｈおよびフィルタ２４４からのＲＦ信号を周波数ダウンコンバートする。ＲＦバックエンド２５０はダウンコンバートされた信号をさらに増幅および濾波し、またベースバンド信号をディジタル部分２６０に提供し得る。ＲＦバックエンド２５０はまた、ベースバンドＧＳＭ信号およびベースバンドＣＤＭＡ信号を増幅し、濾波し、周波数アップコンバートし、また出力ＧＳＭ信号およびＣＤＭＡ信号をフィルタ２２６および２４６にそれぞれ提供し得る。
【００１９】
ディジタル部２６０内において、変調復調装置（モデム）プロセッサ２７０は、ＧＳＭおよびＣＤＭＡ用のモデム処理を行ない得る。モデムプロセッサ２７０は、ベースバンド信号をディジタル化してサンプルを得、さらにサンプルを処理して（例えば、復調および復号して）復号データを取得し得る。ＧＳＭおよびＷ−ＣＤＭＡについてのモデム処理は３ＧＰＰ文書において記述される。また、ｃｄｍａ２０００についてのモデム処理は３ＧＰＰ２文書において記述される。３ＧＰＰと３ＧＰＰ２の文書は公開されている。コントローラ／プロセッサ２８０はモデムプロセッサ２７０およびＲＦバックエンド２５０の動作を制御し得る。メモリ２８２はモデムプロセッサ２７０およびコントローラ／プロセッサ２８０用のデータとプログラムコードを格納し得る。
【００２０】
ＲＦフロントエンド２２０およびＲＦバックエンド２５０の全てまたは一部は、１つまたは複数のＲＦＩＣ、混合信号ＩＣなどの上で実現され得る。例えば、ＬＮＡ２３２ａ〜２３２ｈおよびＲＦバックエンド２５０は、１つのＲＦＩＣ上で実現され得る。モジュール２２２および２２４、デュプレクサ２４０、およびＳＡＷフィルタ２３０ａ〜２３０ｈは外部ディスクリート部品によって実現され得る。モデムプロセッサ２７０、コントローラ／プロセッサ２８０、およびメモリ２８２は、１つまたは複数の特定用途向け集積回路（ＡＳＩＣ）上で実現され得る。
【００２１】
図２に示されるように、無線装置１１０ａは、複数のシステム、複数の周波数帯、および（または）複数のアンテナをサポートするために多くのＳＡＷフィルタを含み得る。ＳＡＷフィルタが使用され大きな振幅の帯域外信号（それらは一般に妨害信号またはブロッカーと称される）を減衰させ得る。妨害信号は希望信号より振幅においてはるかに大きい場合がある。従って、ＬＮＡおよび後続のミキサは、希望信号を伴った妨害信号の相互変調を緩和するために高い線形性要件を有し得る。この相互変調は希望信号帯域幅内にあり得るとともに性能を悪化させ得るノイズとして働き得る相互変調歪の生成につながり得る。ＳＡＷフィルタを用いて妨害信号を減ずることによって、ＬＮＡとミキサの線形性要件は緩められ得る。しかしながら、ＳＡＷフィルタは、無線装置１１０ａの面積およびコストを増加させる。
【００２２】
一側面では、トラッキングフィルタが使用されてＬＮＡの前で帯域外信号および隣接チャネル信号を減じ、ＬＮＡおよび後続の回路ブロックの線形性要件を緩めることができ得る。トラッキングフィルタは、チューナブルフィルタ、チューナブル帯域通過フィルタなどとも称され得る。トラッキングフィルタは、回路部品の共通の組によって複数の周波数帯および／または複数のシステムをサポートし得る。このことは、受信器のデザインを大幅に簡略化し得る。トラッキングフィルタはまた、能動回路構成要素によって実現され得、ＲＦ集積回路（ＲＦＩＣ）上で効率的に実現されて面積およびコストの両方を減じ得る。
【００２３】
図３は、無線装置１１０ｂのブロック図を示す。無線装置１１０ｂは、図１中の無線装置１１０の別の典型的なデザインである。無線装置１１０ｂはアナログ部３１０およびディジタル部３６０を含む。アナログ部３１０は、複数のシステム（例えばＧＳＭ、ＣＤＭＡ、ＧＰＳ）用の複数の周波数帯を協働でサポートするＲＦフロントエンド３２０およびＲＦバックエンド３５０を含む。
【００２４】
ＲＦフロントエンド３２０は、ＲＦフロントエンド３２０がＧＳＭまたはＣＤＭＡのいずれかを処理することを可能にするようにスイッチングを行なうアンテナスイッチモジュール３２２を含む。ＣＤＭＡについては、モジュール３２２は１次アンテナ３０２をデュプレクサ３４０に接続する。受信経路については、デュプレクサ３４０からの受信されたＲＦ信号は、ＬＮＡ３４２によって増幅されるとともにフィルタ３４４によって濾波されて入力ＣＤＭＡ信号を得る。入力ＣＤＭＡ信号はＲＦバックエンド３５０に提供される。送信経路については、ＲＦバックエンド３５０からの出力ＣＤＭＡ信号はフィルタ３４６によって濾波されるとともにＰＡ３４８によって増幅されて送信ＣＤＭＡ信号を得る。送信ＣＤＭＡ信号はデュプレクサ３４０によってルーティングされ、モジュール３２２によってアンテナ３０２に接続される。一般に、ＲＦフロントエンド３２０は、ＣＤＭＡ用の任意の数の周波数帯用のデュプレクサ３４０、ＬＮＡ３４２、フィルタ３４４および３４６、ならびにＰＡ３４８の組を任意の数、含み得る。
【００２５】
ＧＳＭについては、モジュール３２２は、送信期間の間、送信ＧＳＭ信号をＰＡ３２８からアンテナ３０２に接続し、受信期間の間、第１の受信されたＲＦ信号をアンテナ３０２からトラッキングフィルタ３３０ａに接続する。トラッキングフィルタ３３０ａは、希望信号の中心周波数に追従または従う周波数応答に基づいて第１の受信されるＲＦ信号を濾波し、第１の濾波されたＲＦ信号を提供する。ＬＮＡ３３２ａは、第１の濾波されたＲＦ信号を増幅し、第１の増幅されたＲＦ信号をＲＦバックエンド３５０に提供する。同様に、トラッキングフィルタ３３０ｂは、ダイバーシチ／２次アンテナ３０４から第２の受信されたＲＦ信号を受け取り、希望信号の中心周波数に追従する周波数応答に基づいて第２の受信されたＲＦ信号を濾波し、第２の濾波されたＲＦ信号を提供する。ＬＮＡ３３２ｂは、第２の濾波されたＲＦ信号を増幅し、第２の増幅されたＲＦ信号をＲＦバックエンド３５０に提供する。
【００２６】
トラッキングフィルタ３３０ａおよび３３０ｂは独立して動作され得る。トラッキングフィルタ３３０ａおよび／または３３０ｂは所与の瞬間に動作し得る。トラッキングフィルタ３３０ａおよび３３０ｂは、同じまたは相違する周波数帯上で、同じまたは相違するシステムからＲＦ信号を受信し得る。トラッキングフィルタ３３０ａおよび３３０ｂはまた、同じまたは相違するデザインを有し得る。例えば、トラッキングフィルタ３３０ａおよび３３０ｂは同じまたは相違する帯域幅、同じまたは相違するフィルタの並びおよび周波数応答などを有し得る。トラッキングフィルタ３３０ａおよび３３０ｂのいくつかの典型的なデザインは後に記述される。
【００２７】
ＲＦバックエンド３５０は、様々な回路ブロック、例としてミキサ、ＶＧＡ、増幅器、バッファ、低域通過フィルタなどを含み得る。ＲＦバックエンド３５０は、ＬＮＡ３３２ａ、３３２ｂ、およびフィルタ３４４からのＲＦ信号を周波数ダウンコンバートし、ダウンコンバートされた信号を増幅および濾波し、ベースバンド信号をディジタル部３６０に提供し得る。
【００２８】
ディジタル部３６０において、モデムプロセッサ３７０は、ベースバンド信号をディジタル化してサンプルを得、さらにサンプルを処理して復号データを取得し得る。コントローラ／プロセッサ３８０は、モデムプロセッサ３７０およびＲＦバックエンド３５０の動作を制御し得る。メモリ３８２はモデムプロセッサ３７０およびコントローラ／プロセッサ３８０用のデータとプログラムコードを格納し得る。
【００２９】
ＲＦフロントエンド３２０およびＲＦバックエンド３５０の全てまたは一部は、１つまたは複数のＲＦＩＣ、混合信号ＩＣなどの上で実現され得る。例えば、トラッキングフィルタ３３０ａおよび３３０ｂ、ＬＮＡ３３２ａおよび３３２ｂ、ならびにＲＦバックエンド３５０は、１つのＲＦＩＣ上で実現され得る。モデムプロセッサ３７０、コントローラ／プロセッサ３８０、およびメモリ３８２は、１つまたは複数のＡＳＩＣ上で実現され得る。
【００３０】
図２および図３に示されるように、無線装置１１０中の受信器は、ＳＡＷフィルタ２３０に代えてトラッキングフィルタ３３０を使用することによって簡略化され得る。図２および図３に示される典型的なデザインについては、トラッキングフィルタ３３０を使用することは、８つのＳＡＷフィルタ、６つのＬＮＡ、１つのアンテナスイッチモジュール、および恐らくはＩＣピンおよびパッドの削除を可能にし得る。トラッキングフィルタ３３０を使用することは受信器の面積およびコストを大幅に下げ得る。
【００３１】
一般に、受信器はスーパーヘテロダインアーキテクチャまたは直接変換アーキテクチャによって実現され得る。スーパーヘテロダインアーキテクチャでは、信号は、多段の中でＲＦからベースバンドへ（例えば１段階でＲＦから中間周波数（ＩＦ）へ、続いて別の段階でＩＦからベースバンドへ）周波数ダウンコンバートされる。直接変換アーキテクチャ（これはゼロＩＦ（ＺＩＦ）アーキテクチャとも称される）では、信号は、１段階でＲＦからベースバンドに直接、周波数ダウンコンバートされる。スーパーヘテロダインおよび直接変換アーキテクチャは相違する回路ブロックを使用し、また／または相違する要件を有し得る。トラッキングフィルタはスーパーヘテロダインアーキテクチャおよび直接変換アーキテクチャの両方に対して使用され得る。簡略化のために、直接変換アーキテクチャ用にトラッキングフィルタを使用することが、下に記述される。
【００３２】
図４は、ＲＦバックエンド３５０の一部の典型的なデザインのブロック図を示す。これは直接変換アーキテクチャを実現する。ＲＦバックエンド３５０において、ダウンコンバータ３５２ａはＬＮＡ３３２ａから第１の増幅されたＲＦ信号を受信するとともにＬＯ生成器３５４ａからの第１の局部発振器（ＬＯ）信号を用いて周波数ダウンコンバートし、第１のダウンコンバートされた信号を提供する。低域通過フィルタ３５６ａは、第１のダウンコンバートされた信号を濾波し、第１の濾波された信号を提供する。増幅器（アンプ）３５８ａは第１の濾波された信号を増幅し、第１のベースバンド信号ＰＯＵＴを提供する。同様に、ミキサ３５２ｂはＬＮＡ３３２ｂから第２の増幅されたＲＦ信号を受信するとともにＬＯ生成器３５４ｂからの第２のＬＯ信号を用いて周波数ダウンコンバートし、第２のダウンコンバートされた信号を提供する。低域通過フィルタ３５６ｂは、第２のダウンコンバートされた信号を濾波し、第２の濾波された信号を提供する。増幅器３５８ｂは第２の濾波された信号を増幅し、第２のベースバンド信号ＤＯＵＴを提供する。
【００３３】
図４は具体的なＲＦバックエンドのデザインを示す。一般に、受信器中の信号の調整は増幅器、フィルタ、ミキサなどの１つまたは複数の段階によって行なわれ得る。これらの回路ブロックは図４に示される構成とは異なって配置され得る。さらに、受信器中の信号を調整するために図４において図示されない他の回路ブロック（例えばＶＧＡ）も使用され得る。図４中のいくつかの回路ブロックも省略され得る。
【００３４】
図５は、トラッキングフィルタ３３０ｘを備えた受信経路５００の典型的なデザインのブロック図を示す。受信経路５００は１次またはダイバーシチアンテナ用に使用され得る。トラッキングフィルタ３３０ｘは、図３および図４中の各トラッキングフィルタ３３０ａおよび３３０ｂ用に使用され得る。図５に示される典型的なデザインでは、トラッキングフィルタ３３０ｘ中の加算器５２２は、トラッキングフィルタ用の入力信号ＶＩＮおよびフィードバック信号ＶＦＢを受け取り、入力信号からフィードバック信号を減じ、第１信号Ｖ１を提供する。入力信号ＶＩＮは１次アンテナ３０２からの第１の受信されたＲＦ信号、または図３中のダイバーシチアンテナ３０４からの第２の受信されたＲＦ信号に相当し得る。ＬＮＡ３３２は第１信号Ｖ１を増幅し、第２信号Ｖ２を提供する。ダウンコンバータ３５２は、ＬＯ信号ＶＬＯを用いて第２信号Ｖ２を周波数ダウンコンバートし、出力信号ＶＯＵＴを提供する。出力信号ＶＯＵＴはベースバンドまたはＩＦ周波数にあり得る。
【００３５】
トラッキングフィルタ３３０ｘにおいて、微分器５２４は、出力信号ＶＯＵＴを受け取るとともに微分し、第３信号Ｖ３を提供する。アップコンバータ５２８は、ＬＯ信号ＶＬＯ＿ＴＦを用いて第３信号Ｖ３を周波数アップコンバートし、第４信号Ｖ３を提供する。ＬＯ信号ＶＬＯおよびＶＬＯ＿ＴＦは同じ周波数を有し得る。ユニット５３０はアップコンバータ５２８から第４信号を受け取り、第４信号の実数部をフィードバック信号ＶＦＢとして加算器５２２に提供する。
【００３６】
トラッキングフィルタ３３０ｘは以下のように動作する。入力信号ＶＩＮは、ＬＮＡ３３２によって増幅され、ダウンコンバータ３５２によって周波数ダウンコンバートされて出力信号ＶＯＵＴを得る。微分器５２４は、希望信号を遮断するとともにより高い周波数成分を通す高域通過フィルタとして働く。この、より高い周波数成分は、アップコンバータ５２８によってアップコンバートされ、加算器５２２によって入力信号から減じられる。したがって、トラッキングフィルタ３３０ｘによる帯域外阻止の量は微分器５２４の周波数応答によって決定され得る。
【００３７】
１次微分器５２４については、図５に示されるように、周波数ダウンコンバート後のトラッキングフィルタ３３０ｘからの出力信号は、次のように表現され得る。
【数１】
2011508486.tif 000003
【００３８】
ＧはＬＮＡ３３２の利得であり、
ｋは微分器５２４の利得であり、
ｆＬＯはダウンコンバートに使用されるＬＯ信号の周波数であり、
ＶＩＮ（ｆ）はＲＦにある周波数ｆの関数としての入力信号であり、
ＶＯＵＴ（ｆ−ｆＬＯ）はダウンコンバート後の周波数の関数としての出力信号である。
【００３９】
式（１）は、入力信号をダウンコンバートするとともに低域通過フィルタを適用することによって、出力信号が得られ得ることを示している。
【００４０】
低域通過フィルタの伝達関数は次のように表現され得る。
【数２】
2011508486.tif 000004
【００４１】
式（２）は、低域通過フィルタ応答が帯域幅ＢＷＬＰＦ＝１／Ｇｋおよび直流（ＤＣ）利得１／ｋを有することを示す。さらに、低域通過フィルタはダウンコンバート後に適用され、そして低域通過フィルタ帯域幅は希望信号帯域幅に基づいて設定され得る。例えば、低域通過フィルタの帯域幅はＧＳＭ用の数百ｋＨｚまたはＣＤＭＡ用の数ＭＨｚに設定され得る。低域通過フィルタの伝達関数は、アップコンバータ５２８によって結果的にＲＦへとアップコンバートされ、入力信号ＶＩＮが等価的な帯域通過フィルタを観察するという結果になる。この等価的な帯域通過フィルタの帯域幅および応答は低域通過フィルタの帯域幅および応答によって定まる。等価的な帯域通過フィルタの品質係数Ｑは次のように表現され得る。
【数３】
2011508486.tif 000005
【００４２】
低域通過フィルタの帯域幅ＢＷＬＰＦは、希望信号の帯域幅に基づいて設定され得、数百ｋＨｚまたは数ＭＨｚであり得る。ＬＯ周波数ｆＬＯは希望信号の中心周波数によって定まり、数百ＭＨｚまたは数ＧＨｚであり得る。従って、非常に高いＱが、等価的帯域通過フィルタについて達成され得る。さらに、高いＱが、有効回路要素（例えばトランジスタ）を使用して、Ｑの高い無効回路要素（例えばインダクタ）を必要とすることなく、達成され得る。
【００４３】
図５に示される典型的なデザインでは、フィードバック信号ＶＦＢがＬＮＡ３３２の前で入力信号ＶＩＮから減じられる。加算器５２２からの第１信号Ｖ１はより低い帯域外信号レベルを有し得る。このことは、ＬＮＡ３３２およびダウンコンバータ３５２の線形性要件を緩め得る。フィードバック信号はダウンコンバータ３５２より前の別の位置で印加されてもよい。
【００４４】
図６は、トラッキングフィルタ３３０ｘを備えた受信経路６００の典型的なデザインのブロック図を示す。受信経路６００は１次またはダイバーシチアンテナ用に使用され得る。図６に示される典型的なデザインでは、広帯域の帯域通過フィルタ６１２は受信された信号ＶＲＸを受け取るとともに濾波し、濾波された信号を提供する。受信された信号ＶＲＸは、１次アンテナ３０２からの第１の受信されたＲＦ信号、または図３中のダイバーシチアンテナ３０４からの第２の受信されたＲＦ信号に相当し得る。フィルタ６１２は広帯域の周波数選択性を提供し得、またフィルタ６１２の帯域幅は数十または数百ＭＨｚであり得る。フィルタ６１２はインピーダンス整合も提供し得る。図５中のＬＮＡ３３２は増幅器６１４および６１６によって実現され得る。増幅器６１４は、フィルタ６１２からの濾波された信号を利得Ｇ１で増幅し、トラッキングフィルタ３３０ｘ用の入力信号ＶＩＮを提供する。加算器５２２は、入力信号ＶＩＮからフィードバック信号ＶＦＢを減じ、第１信号Ｖ１を提供する。増幅器６１６は、第１信号Ｖ１を利得Ｇ２で増幅し、ダウンコンバータ３５２に第２信号Ｖ２を提供する。
【００４５】
図５中のＬＮＡ３３２は利得Ｇを有し得、利得Ｇは増幅器６１４および６１６の利得Ｇ１およびＧ２に分離され得る。増幅器６１４は、小さな利得を提供し、大きな帯域外信号成分を扱うように設計され得る。増幅器６１６は、残りの利得を提供し、緩和された線形性要件で設計され得る。加算器５２２は、増幅器６１４の後で実現されるのが容易であり得る。例えば、ユニット５３０からの出力電流ＩＦＢは、ＩＦＢを反転するとともに反転されたＩＦＢとＩＩＮとを加算ノードで加算することによって、増幅器６１４からの出力電流ＩＩＮから減じられ得る。
【００４６】
図７は、トラッキングフィルタ３３０ｙを備えた受信経路７００の典型的なデザインのブロック図を示す。受信経路７００は１次またはダイバーシチアンテナ用に使用され得る。トラッキングフィルタ３３０ｙは図３および図４中の各トラッキングフィルタ３３０ａおよび３３０ｂに使用され得る。受信経路７００において、広帯域の帯域通過フィルタ７１２は受信された信号ＶＲＸを受け取るとともに濾波し、トラッキングフィルタ３３０ｙ用の入力信号ＶＩＮを提供する。
【００４７】
図７に示される典型的なデザインにおいて、トラッキングフィルタ３３０ｙは、加算器７２２、アップコンバータ７２８、および実ユニット７３０を含んでいる。これらは、図５中のトラッキングフィルタ３３０ｘ中の加算器５２２、アップコンバータ５２８、および実ユニット５３０とそれぞれ同様に接続されている。トラッキングフィルタ３３０ｙはさらに高域通過フィルタ７２４および広帯域の低域通過フィルタ７２６を含む。高域通過フィルタ７２４はダウンコンバータ３５２から出力信号ＶＯＵＴを受け取るとともに濾波し、第３信号Ｖ３を提供する。高域通過フィルタ７２４は希望信号を遮断するとともに帯域外信号成分を通し得る。高域通過フィルタ７２４は、任意の適切な帯域幅およびフィルタの次数、例えば、１次、２次、３次、あるいはより高次を有し得る。『高次は、後に記述されるように、高次導関数によって達成され得る。低域通過フィルタ７２６は第３信号Ｖ３を受け取るとともに濾波し、濾波された第３信号をアップコンバータ７２８に提供する。低域通過フィルタ７２６は、広い帯域幅を有しており、ＬＯ信号の高調波だけでなくｆＬＯ＋ｆＲＦ成分も抑え得る。これらのＬＯの成分はフィードバック信号と比較して比較的大きいものであり得る。従って、これらのＬＯの成分を抑えることが、入力信号中の帯域外信号成分の減衰を改善し得る。
【００４８】
図５、図６、および図７は、いくつかの典型的なトラッキングフィルタのデザイン、およびトラッキングフィルタを取り入れているいくつかの典型的な受信器経路のデザインを示す。トラッキングフィルタおよび／または受信経路は性能を改善し得る他の回路ブロックを含み得る。例えば、ＤＣオフセット除去ブロックが、図５中の微分器５２４の前（または後）、図７中の高域通過フィルタ７２４の後、アップコンバータ５２８または７２８の前、等に挿入され得る。ＤＣオフセット除去ブロックは、ＤＣオフセットを推定および除去し得、このことは性能を改善し得る。
【００４９】
図８は、トラッキングフィルタ３３０ｚを備えた受信経路８００の典型的なデザインのブロック図を示す。受信経路８００は１次またはダイバーシチアンテナ用に使用され得る。トラッキングフィルタ３３０ｚは図３および図４中の各トラッキングフィルタ３３０ａおよび３３０ｂに使用され得る。トラッキングフィルタ３３０ｚにおいて、加算器８２２は、トラッキングフィルタ用の入力信号ＶＩＮからフィードバック信号ＶＦＢを減じ、第１信号Ｖ１を提供する。ＬＮＡ３３２は第１信号Ｖ１を増幅するとともに第２信号Ｖ２をダウンコンバータ３５２に提供する。ダウンコンバータ３５２において、ミキサ８５２ａは、第２信号Ｖ２をｃｏｓ（ωＬＯ  ｔ）でダウンコンバートし、同相出力信号ＩＯＵＴを提供する。ミキサ８５２ｂは、ｓｉｎ（ωＬＯ  ｔ）で第２信号Ｖ２をダウンコンバートし、直交出力信号ＱＯＵＴを提供する。
【００５０】
トラッキングフィルタ３３０ｚにおいて、微分器８２４ａおよび８２４ｂはＩＯＵＴ信号およびＱＯＵＴ信号をそれぞれ微分し、Ｉ３信号およびＱ３信号をそれぞれ提供する。アップコンバータ８２８において、ミキサ８３０ａは、Ｉ３信号をｃｏｓ（ωＬＯ  ｔ）でアップコンバートし、ミキサ８３０ｂは、Ｑ３信号をｓｉｎ（ωＬＯ  ｔ）でアップコンバートする。加算器８３２は、ミキサ８３０ａおよび８３０ｂの出力を加算し、フィードバック信号ＶＦＢを加算器８２２に提供する。アップコンバータ８２８は、Ｉ３およびＱ３からなる複素第３信号をｃｏｓ（ωＬＯ  ｔ）およびｓｉｎ（ωＬＯ  ｔ）からなる複素ＬＯ信号で乗じて、結果得る生成物の実部を提供する。
【００５１】
ＬＯ生成器３５４は、ωＬＯ＝２πｆＬＯの所望のＬＯ周波数でコサイン信号およびサイン信号を生成する。バッファ８５４ａおよび８５４ｂは、それぞれ、ＬＯ生成器３５４からのコサイン信号およびサイン信号をバッファし、バッファされたコサイン信号およびサイン信号をミキサ８５２ａおよび８５２ｂに提供する。バッファ８５６ａおよび８５６ｂは、それぞれ、ＬＯ生成器３５４からのコサイン信号およびサイン信号をバッファし、バッファされたコサイン信号およびサイン信号をミキサ８３０ａおよび８３０ｂに提供する。したがって、ダウンコンバートに使用される複素ＬＯ信号は、アップコンバートに使用される複素ＬＯ信号と同じ周波数を有する。
【００５２】
ミキサ８３０ａ、８３０ｂ、８５２ａ、および８５２ｂは、当技術において既知の様々なデザインで（例えばギルバートの乗算器で）実現され得る。ノイズを減らすために、ミキサ８３０ａおよび８３０ｂは受動型ミキサ（例えばスイッチ電界効果トランジスタ）（ＦＥＴ）で実現され得る。
【００５３】
トラッキングフィルタは、安定した動作を保証するように設計され得る。これは、最も高い動作周波数について十分な閉ループ位相余裕を保証することによって達成され得る。必要であれば、遅延ユニットが、安定した動作を保証するためにトラッキングフィルタ中の適切な位置に挿入され得る。例えば、遅延ユニットは、バッファ８５６ａおよび８５６ｂの前または後に挿入されて、ミキサ８３０ａおよび８３０ｂに提供されるコサイン信号およびサイン信号の遅延または位相を調整する。
【００５４】
図９は、微分器９００の典型的なデザインのブロック図を示している。これは、図５中の微分器５２４、図７中の高域通過フィルタ７２４、図８中の各微分器８２４ａおよび８２４ｂに使用され得る。微分器９００において、ダウンコンバータからの出力信号ＶＯＵＴは微分器９１２ａ〜９１２ｎに提供される。微分器９１２ａは１次微分器であり、微分器９１２ｂは２次微分器であり、同様にして、微分器９１２ｎはｎ次微分器である（ｎは１以上の任意の整数値）。微分器９１２ａ〜９１２ｎの出力は、それぞれ、乗算器９１４ａ〜９１４ｎによって、スケーリング係数ｋ１〜ｋｎでスケーリングされる。加算器９１６は、乗算器９１４ａ〜９１４ｎの出力を加算し、第３信号Ｖ３を提供する。一般に、微分器９００は、任意の数の任意の次数の微分器を導入し得る。
【００５５】
図１０は、トラッキングフィルタを用いて信号を処理するための工程１０００の典型的なデザインを示している。フィードバック信号が入力信号から減じられて第１信号を取得し得る（ブロック１０１２）。第１信号が（例えばＬＮＡによって）増幅されて第２信号を取得し得る（ブロック１０１４）。第２信号がダウンコンバートされて出力信号を取得し得る（ブロック１０１６）。出力信号が濾波されて（例えば、微分されて）第３信号を取得し得る（ブロック１０１８）。第３信号がアップコンバートされて第４信号を取得し得る（ブロック１０２０）。第２信号は、第１ＬＯ信号に基づいてダウンコンバートされ得、第３信号は、第１ＬＯ信号と同じ周波数を有し得る第２ＬＯ信号に基づいてアップコンバートされ得る。フィードバック信号が第４信号に基づいて導出され得る（ブロック１０２２）。
【００５６】
ブロック１０１８について、フィルタリングは、出力信号を微分すること、出力信号を高域通過濾波すること等によって達成され得る。ブロック１０１８中のフィルタリングは、受け取られている希望信号を遮断し帯域外信号成分を通し得る。第３信号はまた、低域通過濾波されてダウンコンバートとアップコンバートに使用されるＬＯ信号によりスプリアス成分を除去し得る。
【００５７】
入力信号は、例えば、図５および図７に示されるようにアンテナから到来し得る。入力信号は、例えば図６および図８に示されるように、アンテナから受信された信号を増幅および／または帯域通過濾波することによっても得られ得る。トラッキングフィルタが使用されてＧＳＭおよび／または他のシステム中の複数の周波数帯についての入力信号を濾波し得る。トラッキングフィルタはまた、１次アンテナまたはダイバーシチアンテナからの信号を濾波し得る。
【００５８】
一般に、装置はトラッキングフィルタ、ＬＮＡ、およびダウンコンバータを含み得る。トラッキングフィルタは加算器、フィルタ、およびアップコンバータを含み得る。加算器は、入力信号からフィードバック信号を減じ、第１信号を提供し得る。ＬＮＡは、第１信号を増幅し、第２信号を提供し得る。ダウンコンバータは、第２信号を周波数ダウンコンバートし、出力信号を提供し得る。フィルタは、出力信号を濾波し（例えば、微分し）、第３信号を提供し得る。フィルタは、受け取られている希望信号を遮断し、帯域外信号成分を通し得る。アップコンバータは、第３信号を周波数アップコンバートし、第４信号を提供し得る。この第４信号からフィードバック信号が導出される。周波数ダウンコンバートは第１ＬＯ信号に基づき得、また、周波数アップコンバートは、第１ＬＯ信号と同じ周波数を有する第２ＬＯ信号に基づき得る。トラッキングフィルタは、希望信号の周波数に基づいて定まり得る等価的帯域通過フィルタ応答および可変の中心周波数を有し得る。
【００５９】
本明細書において記述されるトラッキングフィルタは、様々なシステム（これらは相違する性能要件を有し得る）用に使用され得る。ＧＳＭについては、受信器は、約−１１２ｄＢｍで希望信号を受信しながら０ｄＢｍの電力レベルで帯域外ブロッカーを扱えるべきである。トラッキングフィルタがＬＮＡの前にブロッカーを十分に減ずることが可能であり得、このことは、ＬＮＡおよび後続の回路の線形性要件を緩和し得、これらの回路ブロックがより少ない電力で動作することを可能にし得る。
【００６０】
ＣＤＭＡの１次アンテナについては、受信器は、無線装置中の送信器によって生成された送信ＲＦ信号を十分に減ずることができるべきである。図３を再び参照すると、ＰＡ３４８からの送信ＣＤＭＡ信号は、デュプレクサ３４０およびモジュール３２２を介して１次アンテナ３０２へルーティングされ、１次アンテナにおいて＋２３ｄＢｍ程度の高さであり得る。モジュール３２２はまた、受信されたＲＦ信号を１次アンテナ３０２からトラッキングフィルタ３３０ａへルーティングする。送信ＣＤＭＡ信号はＴＸ入力からＲＸ入力へとモジュール３２２によってリークし得る。トラッキングフィルタ３３０ａは送信ＣＤＭＡ信号リークを十分に減ずることができ得、このことは、ＬＮＡ３３２ａおよび後続の回路の線形性要件を緩和し得る。
【００６１】
ＣＤＭＡ２次アンテナおよびＧＰＳについては、受信器は、送信器によって生成された送信ＲＦ信号を十分に減ずることができるべきである。１次および２次アンテナ間の分離は１０〜１５ｄＢであり得、また、受信器は、２次アンテナにおいて−５〜０ｄＢｍの送信ＲＦ信号成分を扱うことができるべきである。トラッキングフィルタ３３０ｂは送信ＲＦ信号成分を十分に減ずることができ得る。このことは、ＬＮＡ３３２ｂおよび後続の回路の線形性要件を緩和し得る。
【００６２】
本明細書において記述されるトラッキングフィルタは、ＩＣ、ＲＦＩＣ、混合信号ＩＣ、ＡＳＩＣ、プリント回路基板（ＰＣＢ）、電子装置などの上で実現され得る。また、トラッキングフィルタは、様々なＩＣプロセス技術によって、例として相補型金属酸化膜半導体（ＣＭＯＳ）、Ｎチャネル型ＭＯＳ（ｎＭＯＳ）、Ｐチャネル型ＭＯＳ（ｐＭＯＳ）、バイポーラ接合トランジスタ（ＢＪＴ）、バイポーラＣＭＯＳ（ＢｉＣＭＯＳ）、シリコンゲルマニウム（ＳｉＧｅ）、砒化ガリウムなど（ガリウム砒素）によって製造され得る。
【００６３】
本明細書において記述されるトラッキングフィルタを実現する装置はスタンドアロン型装置であってもよいし、大型装置の一部であってもよい。装置は（ｉ）スタンドアロン型ＩＣ、（ｉｉ）データおよび／または命令を格納するためのメモリＩＣを含み得る１つまたは複数のＩＣの組、（ｉｉｉ）ＲＦ受信器（ＲＦＲ）またはＲＦ送信器／受信器（ＲＴＲ）のようなＲＦＩＣ、（ｉｖ）移動局モデム（ＭＳＭ）のようなＡＳＩＣ、（ｖ）他の装置内に埋め込まれ得るモジュール、（ｖｉ）受信器、携帯電話、無線装置、ハンドセット、あるいはモバイルユニット、（ｖｉｉ）その他、であり得る。
【００６４】
本開示のここまでの記述は、あらゆる当業者が本開示を実行または使用することを可能にするために提供される。本開示に対する様々な修正は当業者にとって容易に明らかになり、また、本明細書において定義される包括的な原理は、本開示の範囲から逸脱することなく他の変形体に適用され得る。したがって、本発明は、本明細書において示される例およびデザインに制限されることを意図されておらず、本明細書において開示される原理および新規な特徴と一貫している最も広い範囲と一致するべきである。
【図１】
2011508486.tif 000006
【図２】
2011508486.tif 000007
【図３】
2011508486.tif 000008
【図４】
2011508486.tif 000009
【図５】
2011508486.tif 000010
【図６】
2011508486.tif 000011
【図７】
2011508486.tif 000012
【図８】
2011508486.tif 000013
【図９】
2011508486.tif 000014
【図１０】
2011508486.tif 000015
【国際調査報告】
2011508486.tif 000016
2011508486.tif 000017
2011508486.tif 000018